(57)【特許請求の範囲】
【請求項１】
施設外に排出されることなく施設内を循環して流れる洗浄液により、土壌汚染物質を含む汚染土壌を洗浄して浄化するクローズドシステム型の土壌浄化施設が配設された浄化施設敷地に降下した雨水を処理する雨水処理装置であって、
地面に配設され、周壁と前記周壁の下端部に結合された底壁とを有し、その内部空間に砂を収容する、上側が開かれた容器状の砂収容部と、
前記浄化施設敷地及び前記砂収容部に降下した雨水を受け入れて貯留する雨水貯槽と、
前記砂収容部の周壁の外面に隣接して配設され、その内部空間が、前記周壁に形成された連通孔を介して前記砂収容部の内部空間と連通する雨水溝と、
前記雨水貯槽に貯留されている雨水を前記雨水溝に供給する雨水供給装置と、
前記雨水溝内の雨水を前記雨水貯槽に還流させる雨水還流路と、
前記雨水溝内の雨水の水位を、予め設定された砂浸漬上端位置に保持する水位保持装置とを備えていて、
前記砂浸漬上端位置は、該砂浸漬上端位置と前記砂収容部の内部空間に収容されている砂の上面の位置との間に位置する砂が毛管水帯を形成するように設定されていることを特徴とする雨水処理装置。
【請求項２】
前記砂は細砂であり、
前記砂浸漬上端位置が、前記砂収容部の内部空間に収容されている砂の上面から下方に２０〜４０ｃｍの範囲に設定されていることを特徴とする、請求項１に記載の雨水処理装置。
【請求項３】
前記砂収容部は、平面形状が長方形となるように形成され、
前記雨水溝は、前記周壁の一部をなし前記砂収容部の長手方向に伸びる側壁の外面に隣接して配設され、
前記水位保持装置は、前記雨水溝と連通する一方前記雨水還流路に接続された水槽と、前記水槽と前記雨水還流路の間に配設され前記水槽内の雨水を前記雨水還流路に溢流させて前記水槽及び前記雨水溝の水位を前記砂浸漬上端位置に保持する堰とを有することを特徴とする、請求項１又は２に記載の雨水処理装置。
【請求項４】
前記土壌汚染物質は有害金属又はその化合物であり、前記洗浄液はキレート剤を含む水であることを特徴とする、請求項１〜３のいずれか１つに記載の雨水処理装置。
【請求項５】
前記砂収容部の上方に配設され、前記砂収容部への雨水の降下を阻止する屋根を備えていることを特徴とする、請求項１〜４のいずれか１つに記載の雨水処理装置。
【請求項６】
請求項１〜５のいずれか１つに記載の雨水処理装置を用いて、土壌浄化施設が配設された浄化施設敷地に降下した雨水を処理する雨水処理方法であって、
前記水位保持装置により、前記雨水溝の雨水の水位を前記砂浸漬上端位置に保持して、該砂浸漬上端位置より上側の砂層に毛管水帯を形成し、該毛管水帯内の砂に付着している雨水を空気中に蒸発させて前記砂収容部から除去し、
前記砂収容部で所定の期間用いられた砂を前記土壌浄化施設に導入し、浄化すべき汚染土壌とともに浄化し、
前記土壌浄化施設で汚染土壌を浄化することにより得られた清浄土壌の一部を、前記砂収容部に収容する砂として用いることを特徴とする雨水処理方法。
【発明の詳細な説明】
【技術分野】
【０００１】
本発明は、有害金属及び／又はその化合物あるいはその他の土壌汚染物質を含む大量の汚染土壌を浄化する土壌浄化施設のための雨水処理装置及び雨水処理方法に関するものである。
【背景技術】
【０００２】
近年、例えばクロム、鉛、カドミウム、セレン、水銀などの有害金属及び／又はその化合物（以下、これらを「有害金属等」と総称する。）を原料又は材料として用いる生産施設の敷地又はその近隣地における土壌汚染、あるいは有害金属等を含む産業廃棄物の投棄等による土壌汚染が問題となっている。そして、有害金属等で汚染された土壌（以下「有害金属汚染土壌」という。）を、該有害金属汚染土壌が現に存在する位置（以下「原位置」という。）において、例えば有害金属等の不溶化、封じ込め又は電気修復などにより効果的に浄化することはかなり困難である。このため、有害金属汚染土壌は、一般に、掘削により原位置から除去され、外部の土壌浄化施設で浄化される。なお、有害金属汚染土壌が除去された跡地は、通常、土壌浄化施設で浄化された元の土壌又は別の清浄な土壌で埋め戻される。
【０００３】
そして、原位置外の土壌浄化施設で有害金属汚染土壌を浄化する手法としては、従来、有害金属汚染土壌を洗浄液で洗浄して有害金属等を除去するようにした土壌浄化手法が広く用いられている。かくして、本願出願人らは、有害金属等で汚染された汚染土壌を、キレート剤を含有する洗浄水で洗浄して有害金属等を除去する一方、洗浄廃液から固相吸着材で有害金属等を除去することにより洗浄水ないしはキレート剤を再生して繰り返し使用する、洗浄水を施設外に排出しないクローズドシステム型の土壌浄化施設を種々提案している（特許文献１〜４参照）。
【先行技術文献】
【特許文献】
【０００４】
【特許文献１】特許第５６６１２１１号公報
【特許文献２】特許第５７３６０９４号公報
【特許文献３】特許第５７７１３４２号公報
【特許文献４】特許第５７７１３４３号公報
【非特許文献】
【０００５】
【非特許文献１】東京理科大学地盤工学研究室、土質力学Ｉ・ＩＩ講義資料、第２章「不飽和土の諸性質」１〜１８頁http://www.rs.noda.tus.ac.jp/soil/lecture/SoilMechanics/02_Unsaturated/H23unsaturated.pdf
【非特許文献２】開発一郎著「毛管水帯中の水分挙動と地下水流出に関する実験」筑波大学推理実験センター報告、Ｎｏ.１１、１９８７年、７９〜８３頁
【非特許文献３】清沢秀樹著「地温変化にもとづく土壌面蒸発量の推定法について」三重大学紀要論文、三重大学農学部学術報告、１９８４年、６８巻、２５〜４０頁
【発明の概要】
【発明が解決しようとする課題】
【０００６】
大量の汚染土壌（例えば、１０００トン/日）を浄化する土壌浄化施設はかなり大規模な施設であり、その設置面積及び高さがかなり大きいので、このような土壌浄化施設を収容する建屋を設置することは実用的ではなく、また設置する場合は多大な建設費を必要とする。そこで、このような土壌浄化施設は、一般に浄化施設敷地内に露天で設置される。ところで一方、浄化施設敷地には時々雨が降るが、このような敷地内には土壌浄化施設から汚染土壌が散逸ないしは漏出している可能性があるので、浄化施設敷地に降下した雨水は土壌汚染物質を含んでいる可能性がある。したがって、浄化施設敷地に降下した雨水をそのまま外部に排出することは好ましくない。
【０００７】
なお、汚染土壌を洗浄した洗浄廃水に何らかの廃水処理を施して無害化し、外部に排出するようにした非クローズドシステム型の土壌浄化施設の場合は、浄化施設敷地に降下した雨水を洗浄廃水とともに処理すれば、雨水中の土壌汚染物質が未処理で外部に排出されることはない。しかしながら、洗浄水を施設外に排出しないクローズドシステム型の土壌浄化施設では、施設敷地内に降下した雨水をこのような簡便な手法で処理することはできない。一方、クローズドシステム型の土壌浄化施設の浄化施設敷地に降下した雨水に含まれる土壌汚染物質は非常に希薄であるので、このような土壌汚染物質を通常の廃水処理手法で除去するのはかなり困難であるといった問題がある。なお、このような問題は、有害金属等以外の土壌汚染物質を含む大量の汚染土壌を浄化する土壌浄化施設においても生じるのはもちろんである。
【０００８】
本発明は、上記従来の問題を解決するためになされたものであって、洗浄液を施設外に排出しないクローズドシステム型の土壌浄化施設の浄化施設敷地に降下した雨水を、これに含まれる有害金属等あるいはその他の土壌汚染物質を未処理で外部へ排出することなく、確実に処理することを可能にする手段を提供することを解決すべき課題とする。
【課題を解決するための手段】
【０００９】
前記課題を解決するためになされた本発明に係る雨水処理装置は、施設外に排出されることなく施設内を循環して流れる洗浄液により、土壌汚染物質を含む汚染土壌を洗浄して浄化するクローズドシステム型の土壌浄化施設が配設された浄化施設敷地に降下した雨水を処理する。この雨水処理装置は、砂収容部と、雨水貯槽と、雨水溝と、雨水供給装置と、雨水還流路と、水位保持装置とを備えている。土壌汚染物質としては、例えば有害金属等（有害金属及び／又はその化合物）などが挙げられ、この場合洗浄液としては、例えばキレート剤を含む水を用いることができる。
【００１０】
この雨水処理装置において、砂収容部は、地面に配設され、周壁と前記周壁の下端部に結合された底壁とを有し、その内部空間に砂を収容する、上側が開かれた容器状のものである。雨水貯槽は、浄化施設敷地及び砂収容部（屋根がない場合）に降下した雨水を受け入れて貯留する。雨水溝は、砂収容部の周壁の外面に隣接して配設され、その内部空間（下部空間）が、周壁に形成された連通孔を介して砂収容部の内部空間（下部空間）と連通する。雨水供給装置は、雨水貯槽に貯留されている雨水を雨水溝に供給する。雨水還流路は、雨水溝内の余剰の雨水を雨水貯槽に還流させる。水位保持装置は、雨水溝内の雨水の水位を、予め設定された砂浸漬上端位置に保持する。ここで、砂浸漬上端位置は、該砂浸漬上端位置と砂収容部の内部空間に収容されている砂の上面の位置との間に位置する砂が毛管水帯（ほぼ飽和水分状態の砂層）を形成するように設定されている。
【００１１】
本発明に係る雨水処理装置においては、砂は細砂（すなわち、粒径が０．０７５〜０．２５ｍｍの砂）であり、砂浸漬上端位置が、砂収容部の内部空間に収容されている砂の上面から下方に２０〜４０ｃｍの範囲に設定されているのが好ましい。
【００１２】
本発明に係る雨水処理装置においては、砂収容部は、平面形状が長方形となるように形成され、雨水溝は、周壁の一部をなし砂収容部の長手方向に伸びる側壁の外面に隣接して配設されているのが好ましい。また、水位保持装置は、雨水溝と連通する一方雨水還流路に接続された水槽と、該水槽と雨水還流路の間に配設され水槽内の雨水を雨水還流路に溢流させて水槽及び雨水溝の水位を砂浸漬上端位置に保持する堰とを有しているのが好ましい。
【００１３】
本発明に係る雨水処理装置は、砂収容部の上方に配設され、該砂収容部への雨水の降下を阻止する屋根を備えていてもよい。この場合、砂収容部にはほとんど雨水が降下しないので、雨水貯槽には、実質的には、浄化施設敷地に降下した雨水と該雨水貯槽自体に降下する雨水とが貯留されるだけである。
【００１４】
本発明に係る雨水処理装置を用いて、土壌浄化施設が配設された浄化施設敷地に降下した雨水を処理する本発明に係る雨水処理方法は、水位保持装置（例えば、堰）により、雨水溝の雨水の水位を砂浸漬上端位置に保持して、該砂浸漬上端位置より上側の砂層に毛管水帯（ほぼ飽和水分状態の砂層）を形成し、該毛管水帯内の砂に付着している雨水を空気中に蒸発させて前記砂収容部から除去する。そして、砂収容部で所定の期間用いられた砂を土壌浄化施設に導入し、浄化すべき汚染土壌とともに浄化する一方、土壌浄化施設で汚染土壌を浄化することにより得られた清浄土壌の一部（例えば、洗い砂）を、砂収容部に収容する砂として用いる。
【発明の効果】
【００１５】
本発明に係る雨水処理装置によれば、浄化施設敷地及び雨水貯槽自体に降下した雨水はすべて雨水貯槽に貯留される。なお、砂収容部の上に屋根が設けられていない場合は、砂収容部に降下した雨水も雨水貯槽に貯留される。そして、雨水貯槽に貯留されている雨水を、雨水溝を経由して砂収容部の内部空間に導入することにより、砂浸漬上端位置より下側の砂を雨水で浸漬し、砂浸漬上端位置より上側の砂層に毛管水帯（ほぼ飽和水分状態の砂層）を形成することができる。ここで、毛管水帯において砂に付着している雨水は大気中に蒸発して砂収容部から除去される。なお、毛管水帯から雨水が蒸発すれば、毛細管現象により、砂浸漬上端位置より下側の水が毛管水帯に吸い上げられ、毛管水帯はほぼ飽和水分状態を維持する。
【００１６】
他方、雨水に含まれている土壌汚染物質は、蒸発せず砂収容部内に残留する。したがって、クローズドシステム型の土壌浄化施設の浄化施設敷地に降下した雨水に含まれる土壌汚染物質の外部への排出を確実に防止することができる。すなわち、浄化施設敷地に降下した雨水を、これらに含まれる有害金属等あるいはその他の土壌汚染物質を未処理で外部へ排出することなく、確実に外部に排出することができる。
【００１７】
さらに、砂収容部で用いられ土壌汚染物質が付着している砂を適宜に土壌浄化施設に導入し、浄化すべき汚染土壌とともに浄化することができるので、雨水に含まれていた土壌汚染物質を処理することができる。また、土壌浄化施設で汚染土壌を浄化することにより得られた清浄土壌の一部（例えば、洗い砂）を、砂収容部に収容する砂として用いることができるので、砂収容部で用いる砂を容易に調達することができる。
【００１８】
本発明に係る雨水処理方法によれば、水位保持装置により、雨水溝の雨水の水位を砂浸漬上端位置に保持して、砂浸漬上端位置より上側の毛管水帯の砂に付着している雨水を空気中に蒸発させて砂収容部から除去する。このとき、雨水に含まれていた土壌汚染物質は、蒸発せず砂収容部内に残留するので、クローズドシステム型の土壌浄化施設の浄化施設敷地に降下した雨水に含まれる土壌汚染物質の外部への排出を確実に防止することができる。また、砂収容部で所定の期間用いられた砂を土壌浄化施設に導入し、浄化すべき汚染土壌とともに浄化する一方、土壌浄化施設で汚染土壌を浄化することにより得られた清浄土壌の一部（例えば、洗い砂）を、砂収容部に収容する砂として用いるので、雨水に含まれていた土壌汚染物質を処理することができ、かつ砂収容部で用いる砂を容易に調達することができる。
【図面の簡単な説明】
【００１９】
【図１】（ａ）は、クローズドシステム型の土壌浄化施設が配設された浄化施設敷地に降下した雨水を、屋根を備えていない砂収容部を用いて処理する雨水処理装置の配置形態を模式的に示す平面図であり、（ｂ）は、クローズドシステム型の土壌浄化施設が配設された浄化施設敷地に降下した雨水を、屋根を備えている砂収容部を用いて処理する雨水処理装置の配置形態を模式的に示す平面図である。
【図２】浄化施設敷地に配設された土壌浄化施設の概略構成を模式的に示す平面図である。
【図３】砂収容部の長手方向（前後方向）と垂直な平面で切断した、砂収容部及び雨水溝の模式的な断面立面図である。
【図４】多孔板及び砂層を除去した状態における砂収容部及び雨水溝の要部の模式的な平面図である。
【発明を実施するための形態】
【００２０】
以下、添付の図面を参照しつつ本発明の実施形態を具体的に説明する。
図１（ａ）に示すように、汚染土壌処理場Ｐ（以下、略して「処理場Ｐ」という。）の土壌浄化施設敷地１（以下、略して「施設敷地１」という。）には、施設敷地１外に排出されることなく施設敷地１内の所定の循環経路を循環して流れる洗浄液により、土壌汚染物質を含む汚染土壌を洗浄して浄化するクローズドシステム型の土壌浄化施設２が露天で配設されている。そして、処理場Ｐ内において施設敷地１の近傍には、施設敷地１内に降下した雨水（雪解け水を含む）を処理する雨水処理装置Ｓ１が設けられている。
【００２１】
雨水処理装置Ｓ１には、施設敷地１に降下した雨水を、雨水排出通路３を介して受け入れる雨水貯槽４が配設されている。雨水貯槽４は、地面に埋設された、平面形状が長方形であるコンクリート製の貯水槽である。なお、以下では処理場Ｐ内における施設ないしは装置の位置関係を簡明に示すため、図１（ａ）中において雨水貯槽４と施設敷地１とが並ぶ方向（図１（ａ）中の位置関係では左右方向）に関して、雨水貯槽４が位置する側を「左」といい、施設敷地１が位置する側を「右」ということにする。
【００２２】
さらに、雨水処理装置Ｓ１には、処理場Ｐ内において雨水貯槽４に対して、左右方向と垂直な方向に適度に離間して、砂を収容する容器状の砂収容部５が配設されている。本実施形態では、このような砂として細砂（粒径が０．０７５〜０．２５ｍｍの砂）を用いている。なお、以下では、処理場Ｐ内における施設ないしは装置の位置関係を簡明に示すため、雨水貯槽４と砂収容部５とが並ぶ方向（左右方向と垂直な方向）に関して、雨水貯槽４が位置する側を「前」といい、砂収容部５が位置する側を「後」ということにする。
【００２３】
砂収容部５は、前端壁６と後端壁７と左側壁８と右側壁９と底壁１０とを有し、左右方向の長さが比較的短く、前後方向の長さが比較的長い長方形の平面形状を有し、適量の砂を収容することができる深さを有する、地上に設置され又は地中に埋設されたコンクリート製の容器である。砂収容部５の左側には雨水溝１１が設けられ、この雨水溝１１は、砂収容部５の左側壁８の外面（左側の表面）に隣接して配設されている。雨水溝１１はコンクリート製であり、砂収容部５と一体形成されている。
【００２４】
さらに、雨水処理装置Ｓ１には、雨水貯槽４に貯留されている雨水を雨水溝１１に供給する雨水供給装置１２と、雨水溝１１内の余剰の雨水を雨水貯槽４に還流させる雨水還流路１３と、雨水溝１１内の雨水の水位を、予め設定された砂収容部５内の砂浸漬上端位置に保持する水位保持装置１４とを有している。ここで、砂浸漬上端位置は、該砂浸漬上端位置と砂収容部５の内部空間に収容されている砂の上面の位置との間に位置する砂が毛管水帯（飽和水分状態の砂層）を形成するように設定されている。なお、雨水処理装置Ｓ１を構成する砂収容部５、雨水溝１１、雨水供給装置１２、雨水還流路１３及び水位保持装置１４の具体的な構成及び機能は後で詳しく説明する。
【００２５】
以下、図２を参照しつつ、施設敷地１に設置された土壌浄化施設２の構成及び機能を具体的に説明する。図２に示すように、施設敷地１の外周部には、敷地全周にわたってコンクリート製の外周溝１５が配設されている。そして、施設敷地１内に降下した雨水は、種々の雨水排水路（図示せず）を経由して又は地表を流れて外周溝１５に流入するようになっている。したがって、施設敷地１内に降下した雨水は、外周溝１５を介することなく施設敷地１の外部に流出することはない。なお、外周溝１５に流入した雨水はすべて、雨水排出通路３を介して雨水貯槽４（図１（ａ）参照）に流入する。
【００２６】
土壌浄化施設２においては、有害金属等（有害金属及び／又はその化合物）で汚染され、あるいはその他の汚染物質（例えば、フッ素、ホウ素、シアン等の第二種特定有害物質）で汚染された地盤の掘削等により採取された土壌（汚染土壌）が、投入ホッパ１６に受け入れられる。そして、投入ホッパ１６内の土壌はまず混合装置１７に投入され、混合装置１７内で洗浄液と混合される。ここで、土壌は、細粒土（粒径が０．０７５ｍｍ以下のシルト又は粘土）を含むとともに、種々の粒径の土石ないしは土砂、例えば石（粒径が７５ｍｍ以上）、礫（粒径が２ないし７５ｍｍ）及び／又は砂（粒径が０．０７５ないし２ｍｍ）等を含むものである。
【００２７】
投入ホッパ１６内の土壌は有害金属等で汚染され、場合によってはさらにその他の汚染物質で汚染されている。ここで、有害金属等としては、例えばクロム、鉛、カドミウム、セレン、水銀、金属砒素及びこれらの化合物などが挙げられる。その他の汚染物質としては、例えば、フッ素又はその化合物、ホウ素又はその化合物、シアン化合物等の第二種特定有害物質などが挙げられる。洗浄液は、このような土壌から有害金属等を除去するためのものである。
【００２８】
土壌から有害金属等を除去するための洗浄液としては、例えばキレート剤水溶液などを用いることができる。キレート剤としては、例えばＥＤＴＡ（エチレンジアミン四酢酸）、あるいは生分解性を有するＨＩＤＳ（３−ヒドロキシ−２，２’−イミノジコハク酸）、ＩＤＳ（２，２’−イミノジコハク酸）、ＭＧＤＡ（メチルグリシン二酢酸）、ＥＤＤＳ（エチレンジアミンジ酢酸）又はＧＬＤＡ（Ｌ−グルタミン酸ジ酢酸）のナトリウム塩などを用いることができる。これらのキレート剤は、いずれも土壌に付着している有害金属等ないしはこれらのイオンを効果的に捕捉する（キレートする）ことができるものである。
【００２９】
混合装置１７で生成された土壌と洗浄液の混合物（以下「土壌洗浄液混合物」という。）はミルブレーカ１８に移送される。ミルブレーカ１８としては、例えばロッドミルを用いることができる。ロッドミルは、詳しくは図示していないが、ドラムの中に複数のロッドが配置された破砕装置であり、ドラムの回転によってロッドが互いに平行に転動して線接触し、その衝撃力、剪断力、摩擦力等により比較的粒径の大きい石、礫、砂等を破砕するとともに、これらに付着し又は含まれている有害金属等あるいはその他の汚染物質を剥離して洗浄液中に離脱させる。なお、洗浄液中に離脱した有害金属等あるいはその他の汚染物質の一部ないしは大部分は、比較的粒径が小さい細粒土の表面に付着するので、土壌中の有害金属等あるいはその他の汚染物質の大部分は、細粒土の表面に集約される。
【００３０】
ミルブレーカ１８から排出された土壌洗浄液混合物はトロンメル１９に導入される。トロンメル１９は、詳しくは図示していないが、洗浄液を貯留することができる受槽と、水平面に対して傾斜して配置された略円筒形のドラムスクリーンとを有する篩分装置であって、ドラムスクリーンは、モータによりその中心軸まわりに回転することができるようになっている。また、ドラムスクリーン内に、洗浄液をスプレー状で噴射することができるようになっている。
【００３１】
トロンメル１９の回転しているドラムスクリーンの内部を土壌洗浄液混合物が流れる際に、ドラムスクリーンの網目より細かい土壌粒子は、洗浄液とともにドラムスクリーンの網目を通り抜け、ドラムスクリーン外に出て受槽内に入る。他方、ドラムスクリーンの網目より粗い土壌粒子すなわち粗骨材は、ドラムスクリーンの網目を通り抜けることができないので、ドラムスクリーンの下側の開口端を経由して、ドラムスクリーン外に排出される。トロンメル１９内では、土壌洗浄液混合物中の土壌粒子同士が互いに擦れ合うので、土壌粒子の表面に残留・付着している有害金属等あるいはその他の汚染物質が剥離され、洗浄液中に離脱させられる。このように洗浄液中に離脱した有害金属等あるいはその他の汚染物質の一部ないしは大部分は、比較的粒径が小さい細粒土の表面に付着する。
【００３２】
ドラムスクリーンの網目の分級径（目開き）は、例えば粒径が２ｍｍ未満の土壌粒子がドラムスクリーンの網目を通り抜けるように設定される。したがって、トロンメル１９では、粒径が２ｍｍ以上の土壌粒子（主として礫）が土壌洗浄液混合物から分離される。前記のとおり、比較的粒径が大きい土壌粒子に付着している有害金属等あるいはその他の汚染物質が洗浄液中に剥離されるので、粒径が２ｍｍ以上の土壌粒子は、ほとんど汚染物質を含まない。なお、トロンメル１９のドラムスクリーンの網目の寸法（目開き）は前記のものに限定されるわけではなく、得ようとする比較的粒径が大きい土壌粒子の粒径に応じて、任意に設定することができるのはもちろんである。
【００３３】
トロンメル１９の受槽内に収容された粒径が２ｍｍ未満の土壌粒子と洗浄液とを含む土壌洗浄液混合物はサイクロン２０に導入される。サイクロン２０は、詳しくは図示していないが、下方に向かって狭まる略円錐状のシリンダ内に土壌洗浄液混合物をポンプで圧送して旋回流を生じさせ、これによって生じる遠心力を利用して、土壌洗浄液混合物を、比較的粒径が小さい（例えば０．０７５ｍｍ未満）細粒土と洗浄液の混合物と、比較的粒径が大きい（例えば０．０７５ｍｍ以上）土壌粒子とに分離する。そして、細粒土と洗浄液の混合物（以下「細粒土含有液」という。）はサイクロン２０の上端部から排出され、比較的粒径が大きい土壌粒子はサイクロン２０の下端部から排出される。細粒土含有液はｐＨ調整槽２１に輸送される。細粒土含有液に含まれる細粒土は、例えば粒径が０．０７５ｍｍ未満のシルト又は粘土である。
【００３４】
他方、サイクロン２０の下端部から排出された比較的粒径が大きい土壌粒子は分級機２２に導入される。なお、この比較的粒径が大きい土壌粒子は、例えばその粒径が０．０７５〜２ｍｍの砂であり、ある程度の洗浄液を含んでいる。分級機２２は、所定の圧力及び液量で洗浄液を流動させて、比較的粒径が大きい土壌粒子すなわち砂にすすぎ洗浄処理を施すとともに、残留している浮遊物ないしは異物を捕集する。これにより洗い砂が生成される。この洗い砂は、乾燥後に、篩分器（図示せず）を用いて、例えば細砂（粒径０．０７５〜０．２５ｍｍの砂）と、中砂（粒径０．２５〜０．８５ｍｍの砂）と、粗砂（粒径０．８５〜２ｍｍの砂）とに篩分される。
【００３５】
分級機２２から排出された洗浄液はｐＨ調整槽２１に導入され、細粒土含有液に加えられる。そして、ｐＨ調整槽２１では、細粒土含有液（加えられた洗浄液を含む）のｐＨが、ｐＨ調整剤、例えば酸性液（例えば、硫酸、塩酸等）及びアルカリ性液（例えば、水酸化ナトリウム水溶液等）を用いて、ほぼ中性又は所定のｐＨ（例えば、ｐＨ７〜８）となるように調整される。なお、図示していないが、ｐＨ調整槽２１では、細粒土含有液のｐＨはｐＨメータ等を備えたｐＨ自動制御装置により自動的に調整される。
【００３６】
ｐＨ調整槽２１でｐＨが調整された細粒土含有液は凝集槽２３に一時的に貯留される。凝集槽２３では、細粒土含有液にポリ塩化アルミニウム液（ＰＡＣ）と、高分子凝集剤と、ｐＨ調整剤（酸性液又はアルカリ性液）とが添加される。これにより、凝集槽２３内に非水溶性の金属水酸化物と細粒土とが混在する多数のフロックが生成される。
【００３７】
凝集槽２３内の細粒土含有液はシックナ２４に導入される。シックナ２４は、詳しくは図示していないが、細粒土含有液がほぼ静止している状態でフロックないしは細粒土を重力により沈降させ、下部に位置するスラッジ層（例えば、固形分の比率が５〜１０％）と、上部に位置しほとんどフロックないしは細粒土を含まない上澄液（洗浄液）とを形成する。なお、上澄液の表面に浮遊している浮上油は、例えばシックナ２４の水面にオイル吸収マットなどを浮遊させて適宜にこのオイル吸収マットを回収することにより、除去することができる。
【００３８】
シックナ２４内の上澄液は、洗浄液槽２５に導入されて貯留される。洗浄液槽２５に貯留されている洗浄液は、キレート剤再生装置２６でキレート剤が再生された後、混合装置１７とトロンメル１９と分級機２２とに供給される。なお、洗浄液槽２５に貯留されている洗浄液が目減りしたときには、適宜に洗浄液槽２５に水及びキレート剤が補給される。なお、キレート剤再生装置２６の構成及び機能は、本発明の要旨ではないのでその詳しい説明は省略するが、例えば本願発明者らに係る特許文献１〜４には、種々のキレート剤再生装置２６の具体的な構成及び機能が開示されている。
【００３９】
他方、シックナ２４の下部に堆積しているスラッジは、中間タンク２７に移送され、一時的に貯留される。そして、中間タンク２７内のスラッジは、適宜に又は連続的に、フィルタプレス２８に移送される。フィルタプレス２８は、詳しくは図示していないが、バッチ式又は半連続式の加圧式濾過器であって、中間タンク２７から受け入れたスラッジを加圧濾過し、濾過ケークと濾液とを生成する。フィルタプレス２８の濾過圧力は、例えば濾過ケークの含水率が３０〜４０％となるように好ましく設定される。ここで、フィルタプレス２７の濾液はシックナ２４に戻される。このように、洗浄液は、土壌浄化施設２内で再生しつつ循環使用され、外部には排出されない。すなわち、土壌浄化施設２はクローズドシステム型の土壌浄化施設である。
【００４０】
以下、図１（ａ）、図３及び図４を参照しつつ、雨水貯槽４と、砂収容部５と、雨水溝１１と、雨水供給装置１２と、雨水還流路１３と、水位保持装置１４とを備えた雨水処理装置Ｓ１の具体的な構成及び機能を説明する。図１（ａ）、図３及び図４に示すように、砂を収容するための砂収容部５は、コンクリートで作成され、処理場Ｐ内においてその上端部近傍部が大気中に露出するようにして地面３０に埋設されている。砂収容部５は、平面視では左右方向の長さが比較的短く（例えば３０〜５０ｍ）、前後方向の長さが比較的長い（例えば１００〜３００ｍ）長方形の形状を有し、その深さが適量の砂を収容することができるように設定された（例えば０．８〜１．０ｍ）、前端壁６と後端壁７と左側壁８と右側壁９と底壁１０とを有する箱状の容器である。なお、砂収容部５の左右方向及び前後方向の長さは、該砂収容部５で蒸発させる雨水の量及び処理場Ｐの寸法（面積）等に応じて好ましく設定される。また、砂収容部５に収容する砂としては、土壌処理施設２で生成された細砂を用いるのが好ましい。
【００４１】
底壁１０の上面には、前後方向に所定の間隔を隔てて左右方向に平行に伸び、所定の深さ（例えば１０〜１５ｃｍ）を有する複数の底溝３１が設けられている。これらの底溝３１は、それぞれ、左側壁８に形成された連通孔３２を介して雨水溝１１の内部空間と連通している。つまり、雨水溝１１の内部空間（下部空間）と砂収容部５の内部空間（下部空間）は、これらの底部近傍で、連通孔３２と底溝３１とを介して互いに連通している。
【００４２】
そして、前後方向に関してこれらの底溝３１間に位置する複数の凸部３３の上には、雨水は通過させるが砂は通過させない多孔板３４が配設されている。ここで、多孔板３４は単一の板状部材ではなく、製作及び運搬に適した寸法の多数の多孔板（例えば、左右１〜２ｍ、前後２〜５ｍ、厚さ５〜１０ｍｍの多孔板）で構成されている。そして、多孔板３４の上に、所定の厚さ（例えば、５０〜８０ｃｍ）の砂層３５が設けられている。
【００４３】
かくして、雨水溝１１に雨水が導入されたときには、この雨水が連通孔３２と底溝３１とを介して砂収容部５内に流入し、砂粒子の間隙に入る。その結果、砂層３５は、雨水溝１１内の雨水の水位と実質的に同一の高さの位置Ｌまで完全に雨水に浸漬され、各砂粒子の間隙には空気は存在せず完全に雨水で満たされ、雨水による浮力が各砂粒子に作用する砂浸漬状態となる。以下では、このような雨水に完全に浸漬された砂層３５の上端位置を「砂浸漬上端位置Ｌ」ということにする。
【００４４】
また、砂浸漬上端位置Ｌより上側には、毛細管現象により雨水が砂層３５内に吸い上げられ、砂粒子の間隙の大部分は雨水で満たされるが、多少は空気も存在する毛管水帯（ないしは飽和毛管水帯）、すなわち実質的に飽和水分状態の砂層３５が形成される。このような毛管水帯では、砂粒子間から大気中への雨水の蒸発量は非常に大きくなり、例えば池の水面からの蒸発量（０．５〜１．０ｍ３／ｍ２・年）に比べて、３〜５倍であるものと推定される。
【００４５】
毛管水帯ないしは飽和毛管水帯の高さないしは厚さは、砂の粒径が小さいほど大きくなる。例えば、非特許文献１には、粒径が０．０２ｍｍの砂の毛管水帯の高さは１８０ｃｍであり、粒径が０．２ｍｍの砂の毛管水帯の高さは２１ｃｍであるとの記載がある。また、非特許文献２には、粒径が０．１ｍｍのガラスビーズの毛管水帯の高さは約５５ｃｍであるとの記載がある。
【００４６】
このような事実に鑑みれば、砂収容部５内に収容する砂として細砂（粒径０．０７５〜０．２５ｍｍ）を用いている本実施形態では、毛管水帯の高さは、０．２〜０．４ｍ程度であるものと推定される。したがって、砂浸漬上端位置Ｌは、例えば砂層３５の上面から下方に２０〜４０ｃｍの範囲の位置に設定するのが好ましい。なお、砂収容部５内の砂層３５の上面近傍部分（例えば、砂層上面から下方に２〜３ｃｍ）の部位では、砂粒子の間隙には大量の空気が存在する一方、砂粒子の表面が雨水の膜で覆われている皮膜水帯（不飽和水分状態の砂層）が形成されるものと推定される。
【００４７】
なお、本発明において、砂収容部５で用いる砂は細砂に限定されるものではなく、細砂とは粒径が異なる砂を用いてもよいのはもちろんである。この場合は、その粒径に対応する毛管水帯の高さを推定し、これに基づいて砂浸漬上端位置Ｌを設定すればよい。例えば中砂（粒径０．２５〜０．８５ｍｍ）を用いる場合は、砂浸漬上端位置Ｌを、例えば砂層３５の上面から下方に１０〜２０ｃｍの範囲の位置に設定してもよい。
【００４８】
雨水溝１１は、砂収容部５と一体形成されたコンクリート製の水路であり、雨水溝１１の底壁は砂収容部５の底壁１０（底溝３１の底部）と同一の高さの位置にある。また、雨水溝１１の上端部は、砂収容部５の左側壁８の上端部と同一の高さの位置にある。雨水溝１１の幅（左右方向の寸法）は、例えば０．５〜１ｍ程度であるのが好ましい。
【００４９】
水位保持装置１４は、雨水溝１１と連通する一方雨水還流路１３に接続された水槽４０と、該水槽４０と雨水還流路１３との間に配設され水槽４０内の雨水を雨水還流路１３に溢流させて水槽４０及び雨水溝１１の水位を一定値に保持する堰４１とを有している。ここで、水槽４０は、地面３０に設置され上部が開かれたコンクリート製の容器であり、その上端は雨水溝１１の上端と同一の高さの位置にある。そして、水槽４０の底部は、雨水溝１１の底部より適度に低い位置（例えば、０．５〜１．５ｍ低い位置）にある。水槽４０と雨水溝１１とは互いに接続されて連通し、これらに収容されている雨水の水位は互いに等しくなっている。なお、水槽４０の平面形状は矩形であるのが好ましく、その水面積は例えば２０〜５０ｍ２程度であるのが好ましい。
【００５０】
堰４１は、水槽４０及び雨水溝１１の雨水の水位を一定に維持するためのものであるが、この水位は堰４１の溢流高さを変えることにより、自在に変更することができる。そして、堰４１の溢流高さは、水槽４０及び雨水溝１１の水位が所定の砂浸漬上端位置Ｌと一致するように好ましく設定される。なお、水槽４０から堰４１を介して雨水還流路１３に溢流した雨水は、雨水貯槽４に還流する。
【００５１】
雨水供給装置１２は、雨水貯槽４内の雨水を水槽４０に連続的に供給するための雨水供給ポンプ４２及び雨水供給管４３を備えている。ここで、雨水供給ポンプ４２は、雨水貯槽４内に貯留されている雨水を、砂収容部５における雨水の蒸発量より十分に大きい流量（例えば、１０〜２０倍）で水槽４０に供給する。したがって、水槽４０及び雨水溝１１の水位は、常に、予め設定された砂浸漬上端位置Ｌに維持される。
【００５２】
以下、土壌浄化施設２が配設された施設敷地１及び砂収容部５に降下した土壌汚染物質を含む可能性がある雨水を、雨水処理装置Ｓ１により処理する方法を具体的に説明する。施設敷地１に降下した雨水（雪解け水を含む）は、大気中に自然に蒸発（気化）する水を除いて、すべて雨水排出通路３を介して雨水貯槽４に流入し、貯留される。この雨水には、土壌浄化施設２から施設敷地１に散逸ないしは漏出した有害金属等あるいはその他の土壌汚染物質が若干含まれている可能性がある。また、砂収容部５に降下した雨水も、大気中に自然に蒸発（気化）する水を除いて、底溝３１と、雨水溝１１と、水槽４０と、雨水還流路１３とを介して雨水貯槽４に流入し、貯留される。なお、雨水貯槽４自体に降下した雨水も雨水貯槽４に貯留される。
【００５３】
雨水貯槽４内に貯留された雨水は、雨水供給ポンプ４２により、雨水供給管４３を介して水槽４０に連続的に供給される。前記のとおり、雨水供給ポンプ４２は、砂収容部５内の砂層３５における雨水の蒸発量より十分に大きい流量で雨水溝１１に雨水を供給するので、水槽４０及び雨水溝１１の水位は、堰４１の溢流高さに対応する一定の位置、すなわち予め設定された砂浸漬上端位置Ｌに維持される。なお、余剰の雨水は堰８を前方に溢流し、雨水還流路１３を介して雨水貯槽４に還流する。
【００５４】
このように、雨水溝１１の水位が砂浸漬上端位置Ｌに維持されるので、雨水溝１１の内部空間と連通している砂収容部５の内部空間の水位も砂浸漬上端位置Ｌに維持される。これに伴って、砂浸漬上端位置Ｌの上側の砂層３５に毛管水帯（飽和水分状態の砂層）が形成される。前記のとおり、本実施形態では細砂を用いている一方、砂浸漬上端位置Ｌを砂層３５の上面から下方に２０〜４０ｃｍの範囲の位置に設定するので、皮膜水帯が形成されると推定される砂層３５の上面近傍部（砂層上面から下方に２〜３ｃｍの砂層）を除けば、砂浸漬上端位置Ｌの上側に毛管水帯、すなわち飽和水分状態（例えば、含水比３０〜３５％）の砂層３５が形成される。
【００５５】
そして、砂浸漬上端位置Ｌの上側の砂層３５中に保持された雨水は、大気中に蒸発（気化）する。かくして、雨水貯槽４に流入する雨水は、すべて砂層３５から大気中に蒸発する。その際、雨水に含まれていた有害金属等は、砂層３５内に残留し、外部には排出されない。したがって、施設敷地１に降下した雨水は、これらに含まれる有害金属等を外部に排出することなく、確実に処理される。なお、施設敷地１、雨水貯槽４及び砂収容部５に降下した雨水をすべて砂層３５から蒸発させるために必要とされる砂収容部５の面積ないしは寸法は、後で説明する。
【００５６】
このような雨水の蒸発処理を繰り返し実施すると、砂収容部５内の砂層３５には、有害金属等又はその他の土壌汚染物質が次第に蓄積されてゆく。そこで、所定の期間が経過するごとに（例えば２〜６か月ごとに）、砂収容部５内の所定の領域ないしは区画（例えば、１００〜２００ｍ２の領域）の砂を除去して土壌浄化施設２に導入し、浄化すべき汚染土壌とともに浄化する。
【００５７】
そして、砂収容部５の砂が除去された区画ないしは領域には、土壌浄化施設２で汚染土壌を浄化することにより得られた清浄土壌の一部である洗い砂から篩分された細砂を導入する。すなわち、砂収容部６内の所定の区画ないしは領域の有害金属等を含む砂を、洗い砂から篩分された細砂と交換する。このように、施設敷地１内に降下した雨水に含まれる有害金属等又はその他の土壌汚染物質は土壌浄化施設２で処理され、未処理で外部に排出されることはない。したがって、クローズドシステム型の土壌浄化施設２の施設敷地１に降下した雨水を、これに含まれる土壌汚染物質を外部に排出することなく、確実に処理することができる。
【００５８】
例えば施設敷地１の面積が２０００ｍ２（例えば、平面視で左右４０ｍ×前後５０ｍの矩形の土地）であり、土壌処理施設２の汚染土壌処理量が５００ｍ３／日（約８５０トン／日）ある場合、雨水貯槽４及び砂収容部５の仕様は、例えば下記のように設定してもよい。ここでは、便宜上、土壌浄化施設２及び雨水処理装置Ｓ１は、１日２４時間、３６５日稼働するものとする。なお、下記の具体例は、あくまでも一例であり、施設敷地１の面積又は土壌処理施設２の汚染土壌処理量、あるいは稼動時間がこれらと異なる場合でも、同様の手法で雨水貯槽４及び砂収容部５の寸法を設定することができるのはもちろんである。
【００５９】
（１）  雨水貯槽４
・直方体状貯槽（左右寸法：２５ｍ、前後寸法：４０ｍ、深さ：４ｍ）
・上面面積    １０００ｍ２
・最大貯水量  約４０００ｍ３
（２）  砂収容部５
・直方体状（左右寸法：４０ｍ、前後寸法：１５０ｍ、深さ：０．８ｍ）
・上面面積  ６０００ｍ２
・砂収容量  約４０００ｍ３
【００６０】
＜降水量＞
雨水貯槽４には、施設敷地１に降下する雨水と、雨水貯槽４自体に降下する雨水と、砂収容部５に降下する雨水（砂層３５と底溝３１と雨水溝１１と水槽４０と雨水還流路１３とを介して雨水貯槽４に流入する）とが一時的に受け入れられることになる。他方、２０１３年における日本の平均年間降水量が１８４７ｍｍであることに鑑み、処理場Ｐにおける平均年間降水量をやや余裕をもって２０００ｍｍ（すなわち、２.０ｍ３／ｍ２・年）と想定すれば、施設敷地１と雨水貯槽４と砂収容部５とには、年間１８０００ｍ３の雨水が降下するものと推定される。
2.0ｍ3/ｍ2・年×（2000ｍ2＋1000ｍ2＋6000ｍ2）＝18000ｍ3/年
【００６１】
＜雨水貯槽＞
前記のとおり、雨水貯槽４の最大貯水容量は約４０００ｍ３であるが、これは施設敷地１と雨水貯槽４と砂収容部５とに降下する雨水の約２．７か月分に相当する。他方、雨水貯槽４内に貯留されている雨水は、日々砂収容部５で処理され減少してゆくので、雨水貯槽４は、施設敷地１と雨水貯槽４と砂収容部５とに降下する雨水を、溢流させることなく十分な余裕をもって貯留することができる。また、一般に、湖沼や溜池などにおける水面からの水の蒸発量は、一般に水面１ｍ２あたり年間０．５〜１．０ｍ３であることが知られている。したがって、雨水貯槽４（上面面積１０００ｍ２）からは、少なくとも年間５００ｍ３の雨水が蒸発するものと推定される。
0.5ｍ3/ｍ2・年×1000ｍ2＝500ｍ3/年
【００６２】
＜砂層における雨水蒸発量＞
砂収容部５内の砂層３５における雨水の蒸発量は、以下で説明するように３.１５ｍ３／ｍ２・年（すなわち、３.１５トン／ｍ２・年）であると推算される。すなわち、まず非特許文献３には、温度が１４.２℃であり、相対湿度が５９％であり、空気の流速が２５０ｃｍ／秒であるときにおける、含水比が３２.１％（飽和水分状態）の土壌からの水の蒸発速度は１１.３×１０−６ｇ／ｃｍ２・秒であると開示されている。また、温度が１４.８℃であり、相対湿度が５７％であり、空気の流速が１７０ｃｍ／秒であるときにおける、含水比が３２.９％（飽和水分状態）の土壌からの水の蒸発速度は７.９×１０−６ｇ／ｃｍ２・秒であると開示されている。
【００６３】
このような非特許文献３の開示事項に鑑みれば、日本における平均的な気候状態を、温度１５℃、相対湿度６０％、風速２ｍ／秒程度と想定したときには、砂収容部５内の飽和水分状態にある砂層４５からの平均的な雨水の蒸発量は、おおむね１０.０×１０−６ｇ／ｃｍ２・秒であるものと推定される。この蒸発量は、実用的な単位に換算すれば、３.１５ｍ３／ｍ２・年となる。
10.0×10-6g/cm2・秒
＝10.0×10-6×10-6×104トン/m2・秒＝1.0×10-7トン/m2・秒
＝1.0×10-7×3600×24×365トン/m2・年＝3.15トン/m2・年
したがって、砂収容部５内の砂層３５からは、年間１８９００トン（１８９００ｍ３）の雨水が蒸発する。
3.15トン/m2・年×6000ｍ2＝18900トン/年
【００６４】
＜雨水処理装置における水の収支＞
前記のとおり、施設敷地１と雨水貯槽４と砂収容部５とには、年間１８０００ｍ３の雨水が降下するものと推定される。他方、雨水貯槽４では少なくとも年間５００ｍ３の雨水が蒸発し、砂収容部５では年間１８９００ｍ３の雨水が蒸発し、雨水処理装置Ｓ１では合計１９４００ｍ３の水が蒸発するものと推定される。このように、雨水処理装置Ｓ１では、１年間で全体的には、施設敷地１と雨水貯槽４と砂収容部５とに降下する雨水より多くの量の雨水を蒸発させることができるので、基本的には、施設敷地１と雨水貯槽４と砂収容部５とに降下する雨水を、おおむね１４００ｍ３の余裕（余裕率８％）をもってすべて蒸発させて処理することができる。しかしながら、とくに降水量が多い年もあり、また冬季には雨水の蒸発量が少ないので、万全を期して、前記の具体例における砂収容部５の前後方向の寸法（１５０ｍ）を、２０〜３０％程度長くしてもよい。
【００６５】
なお、図３中に仮想線で示すように、砂収容部５の上方に、フレーム構造４６によって支持され砂収容部５への雨水の降下を阻止する屋根４７を設けてもよい。この場合、砂収容部５にはほとんど雨水が降下しないので、雨水貯槽４には、実質的には、施設敷地１に降下した雨水と雨水貯槽４自体に降下する雨水とが流入するだけである。このため、砂収容部５で蒸発させる雨水の量が大幅に低減される。その結果、雨水貯槽４及び砂収容部５を小さくすることができる。
【００６６】
図１（ｂ）は、このように砂収容部５の上方に屋根４７を設けた場合における雨水処理装置Ｓ２の配置形態を示している。図１（ｂ）から明らかなとおり、図１（ａ）に示す砂収容部５に屋根を設けてない雨水処理装置Ｓ１と比べて、雨水処理装置Ｓ２の設置面積が大幅に小さくなっている。
【００６７】
この場合、雨水貯槽４及び砂収容部５の仕様は、例えば下記のように設定してもよい。
（１）  雨水貯槽４
・直方体状貯槽（左右寸法：１５ｍ、前後寸法：３０ｍ、深さ：３ｍ）
・上面面積    ４５０ｍ２
・最大貯水量  約１３００ｍ３
（２）  砂収容部５
・直方体状（左右寸法：１５ｍ、前後寸法：１２０ｍ、深さ：０．８ｍ）
・上面面積  １８００ｍ２
・砂収容量  約１２００ｍ３
【００６８】
この場合、処理場Ｐにおける平均年間降水量を２０００ｍｍ（すなわち、２.０ｍ３／ｍ２・年）と想定すれば、施設敷地１と雨水貯槽４とには、年間４９００ｍ３の雨水が降下するものと推定される。
2.0ｍ3/ｍ2・年×（2000ｍ2＋450ｍ2）＝4900ｍ3/年
雨水貯槽４（上面面積４５０ｍ２）からは、少なくとも年間２２５ｍ３の雨水が蒸発するものと推定される。
0.5ｍ3/ｍ2・年×450ｍ2＝225ｍ3/年
また、砂収容部５内の砂層３５からは、年間５６７０トン（５６７０ｍ３）の雨水が蒸発する。
3.15トン/m2・年×1800ｍ2＝5670トン/年
【００６９】
前記のとおり、施設敷地１と雨水貯槽４とには、年間４９００ｍ３の雨水が降下するものと推定される。他方、雨水貯槽４では少なくとも年間２２５ｍ３の雨水が蒸発し、砂収容部５では年間５６７０ｍ３の雨水が蒸発し、雨水処理装置Ｓ２では合計５８９５ｍ３の水が蒸発するものと推定される。このように、雨水処理装置Ｓ２では、１年間で全体的には、施設敷地１と雨水貯槽４とに降下する雨水より多くの量の雨水を蒸発させることができるので、基本的には、施設敷地１と雨水貯槽４とに降下する雨水を、おおむね１０００ｍ３の余裕（余裕率２０％）をもってすべて蒸発させて処理することができる。しかしながら、とくに降水量が多い年もあり、また冬季には雨水の蒸発量が少ないので、万全を期して、前記の具体例における砂収容部５の前後方向の寸法（１２０ｍ）を、２０〜３０％程度長くしてもよい。
【符号の説明】
【００７０】
Ｓ１  雨水処理装置、Ｓ２  雨水処理装置、Ｐ  汚染土壌処理場（処理場）、１  土壌浄化施設敷地（施設敷地）、２  土壌浄化施設、３  雨水排出通路、４  雨水貯槽、５  砂収容部、６  前端壁、７  後端壁、８  左側壁、９  右側壁、１０  底壁、１１  雨水溝、１２  雨水供給装置、１３  雨水還流路、１４  水位保持装置、１５  外周溝、１６  投入ホッパ、１７  混合装置、１８  ミルブレーカ、１９  トロンメル、２０  サイクロン、２１  ｐＨ調整槽、２２  分級機、２３  凝集槽、２４  シックナ、２５  洗浄液槽、２６  キレート剤再生装置、２７  中間タンク、２８  フィルタプレス、３０  地面、３１  底溝、３２  連通孔、３３  凸部、３４  多孔板、３５  砂層、４０  水槽、４１  堰、４２  雨水供給ポンプ、４３  雨水供給管、４６  フレーム構造、４７  屋根。
【要約】
【課題】クローズドシステム型の土壌浄化施設の浄化施設敷地に降下した雨水を、土壌汚染物質を未処理で外部へ排出することなく処理することを可能にする手段を提供する。
【解決手段】雨水処理装置Ｓ１は、クローズドシステム型の土壌浄化施設２が配設された施設敷地１に降下した雨水を処理する。雨水処理装置Ｓ１は、雨水貯槽４と砂収容部５と雨水溝１１と雨水供給装置１２と雨水還流路１３と水位保持装置１４とを有する。砂収容部５はその内部空間に砂を収容し、雨水貯槽４は、施設敷地１及び砂収容部５に降下した雨水を貯留する。雨水溝１１は、砂収容部４の左側壁８の外面に隣接して配設され、その内部空間は、連通孔を介して砂収容部５の内部空間と連通する。水位保持装置１４は、雨水溝１１内の水位を砂浸漬上端位置に保持する。砂浸漬上端位置は、砂浸漬上端位置と砂収容部内の砂層の上面の位置との間の砂層が毛管水帯を形成するように設定される。
【選択図】図１【図１】
0005964529.tif 000002
【図２】
0005964529.tif 000003
【図３】
0005964529.tif 000004
【図４】
0005964529.tif 000005